(57)【要約】  デバイスは、第１の発光ダイオードを含む第１の負荷回路２１に接続される第１及び第２の端子１、２と、第２の発光ダイオードを含む第２の負荷回路２２に接続される第３及び第４の端子３、４と、第１及び第３の端子１、３を相互に接続する第１の接続部１１と、第２及び第４の端子２、４を相互に接続する第２の接続部１２と、第２の負荷回路２２に並列に結合され、電流方向依存性を有する要素４２を介して受け取ったエネルギーを蓄積し、少なくとも第２の負荷回路２２に第２の電力を供給するコンデンサ４１とを含み、第１及び第２の接続部１１、１２のうち少なくとも一方は、電力散逸接続部であり、第１及び第２の負荷回路２１、２２の少なくとも一方は、第１及び第２の接続部１１、１２を介して給電源３１から第１の電力を受け取る。
2015506104.tif 000002
【特許請求の範囲】
【請求項１】
少なくとも１つの第１の発光ダイオードを含む第１の負荷回路に接続される第１及び第２の端子と、
少なくとも１つの第２の発光ダイオードを含む第２の負荷回路に接続される第３及び第４の端子と、
前記第１及び第３の端子を相互に接続させる第１の接続部と、
前記第２及び第４の端子を相互に接続させる第２の接続部と、
前記第２の負荷回路に並列に結合されるコンデンサと
を含み、
前記第１及び第２の接続部のうち少なくとも一方は、電力散逸接続部であり、前記第１及び第２の負荷回路のうち少なくとも一方は、前記第１及び第２の接続部を介して、給電源から第１の電力を受け取り、
前記コンデンサは、電流方向依存性を有する要素を介して受け取ったエネルギーを蓄積し、少なくとも前記第２の負荷回路に第２の電力を供給する、発光デバイス。
【請求項２】
前記コンデンサは、前記コンデンサが前記第３及び第４の端子を通る電流路を介して充電されることを阻止する電流方向依存性を有する更なる要素を介して、前記第２の負荷回路に並列に結合される、請求項１に記載の発光デバイス。
【請求項３】
前記第１及び第２の接続部のうち少なくとも一方は、前記コンデンサが前記第２の電力の一部を前記第１の負荷回路に供給することを阻止する電流方向依存性を有する更なる要素を介して、対応する前記第１及び第３の端子並びに前記第２及び第４の端子を接続する、請求項１に記載の発光デバイス。
【請求項４】
前記給電源は、前記第１の電力だけでなく前記エネルギーも、直流電圧信号、パルス電圧信号又はそれらの組み合わせの形式で供給する、請求項１に記載の発光デバイス。
【請求項５】
前記第１の負荷回路は、前記パルス電圧信号をフィルタリングする更なるコンデンサを含む、請求項４に記載の発光デバイス。
【請求項６】
前記第１及び第２の端子は、前記給電源に結合され、前記第２の負荷回路は、前記第１及び第２の接続部を介して、前記給電源から前記第１の電力を受け取る、請求項１に記載の発光デバイス。
【請求項７】
少なくとも１つの第３の発光ダイオードを含む第３の負荷回路に接続される第５及び第６の端子を更に含み、前記第３の負荷回路は、更なる給電源から第３の電力を受け取る、請求項６に記載の発光デバイス。
【請求項８】
少なくとも１つの第４の発光ダイオードを含む第４の負荷回路に接続される第７及び第８の端子と、
前記第５及び第７の端子を相互に接続させる第３の接続部と、
前記第６及び第８の端子を相互に接続させる第４の接続部と、
を更に含み、
前記第３及び第４の接続部のうち少なくとも一方は、電力散逸接続部であり、前記第４の負荷回路は、前記第３及び第４の接続部を介して、前記更なる給電源から第４の電力を受け取る、請求項７に記載の発光デバイス。
【請求項９】
前記第３及び第７の端子は、１つ以上の更なる接続部を介して互いに接続され、前記第４及び第８の端子は、１つ以上の更なる接続部を介して互いに接続される、請求項８に記載の発光デバイス。
【請求項１０】
前記第１の負荷回路は、前記第１及び第２の接続部を介して、前記給電源から前記第１の電力を受け取る、請求項１に記載の発光デバイス。
【請求項１１】
前記第１及び第２の接続部は共に電力散逸接続部であり、前記第１の接続部は、ゼロより大きい抵抗を有する導体を含み、前記第２の接続部は抵抗器を含む、請求項１に記載の発光デバイス。
【請求項１２】
前記第１及び第２の負荷回路各々は、対応する前記第１及び第２の発光ダイオードに直列接続される対応する前記第１及び第２の抵抗器を含む、請求項１に記載の発光デバイス。
【請求項１３】
前記第１及び第２の負荷回路は、異なる動作電圧を有する、請求項１に記載の発光デバイス。
【請求項１４】
前記電流方向依存性を有する要素は、ダイオード、ツェナーダイオード又はトランジスタを含む、請求項１に記載の発光デバイス。
【請求項１５】
請求項１に記載される発光デバイスを含み、前記給電源を更に含む、システム。
【発明の詳細な説明】
【技術分野】
【０００１】
本発明は、発光デバイスに関する。本発明は更に、発光デバイスを含むシステムに関する。
【０００２】
そのような発光デバイスの例は、ランプ及びその部品である。そのようなシステムの例は、給電源を含むランプである。
【背景技術】
【０００３】
国際特許公開公報ＷＯ２００８／００７２９８Ａ２は、複数の負荷から選択される負荷に電力を印加するデバイスを開示する。このために、当該デバイスは、負荷毎のスイッチと、スイッチを制御する制御部とを含む。
【発明の概要】
【発明が解決しようとする課題】
【０００４】
本発明は、改良された発光デバイスを提供することを目的とする。本発明は更に、改良されたシステムを提供することを目的とする。
【課題を解決するための手段】
【０００５】
第１の態様によれば、発光デバイスが提供される。当該発光デバイスは、
‐少なくとも１つの第１の発光ダイオードを含む第１の負荷回路に接続される第１及び第２の端子と、
‐少なくとも１つの第２の発光ダイオードを含む第２の負荷回路に接続される第３及び第４の端子と、
‐第１及び第３の端子を相互に接続させる第１の接続部と、
‐第２及び第４の端子を相互に接続させる第２の接続部と、
‐第２の負荷回路に並列に結合され、電流方向依存性を有する要素を介して受け取ったエネルギーを蓄積し、少なくとも第２の負荷回路に第２の電力を供給するコンデンサと、
を含み、第１及び第２の接続部のうち少なくとも一方は、電力散逸接続部であり、第１及び第２の負荷回路のうち少なくとも一方は、第１及び第２の接続部を介して、給電源から第１の電力を受け取る。
【０００６】
発光デバイスは、少なくとも１つの第１の発光ダイオードを含む第１の負荷回路に接続される第１及び第２の端子を含み、また、少なくとも１つの第２の発光ダイオードを含む第２の負荷回路に接続される第３及び第４の端子を含む。各負荷回路に給電源が必要となることを防ぐために、第１及び第３の端子は、第１の接続部を介して互いに接続され、第２及び第４の端子は、第２の接続部を介して互いに接続される。結果として、第１及び第２の負荷回路のうち少なくとも一方が、これらの第１及び第２の接続部を介して、給電源から第１の電力を受け取る。通常は、第１及び第２の接続部のうち少なくとも一方は、現実世界では、電力損失のない理想的な接続部が実現できないことにより、電力散逸接続部である。結果として、第１及び第２の負荷回路の組み合わせは、追加の手段が取られない限り、不均一な配電を示すことになる。
【０００７】
負荷毎のスイッチと、スイッチを制御する制御部とを必要とすることなく、より進化した態様で電力を印加可能とするために、発光デバイスには、第２の負荷回路に並列に結合され、電流方向依存性を有する要素を介して受け取ったエネルギーを蓄積し、少なくとも第２の負荷回路に第２の電力を供給するコンデンサが提供される。結果として、第１及び第２の負荷回路は共に、その間にコンデンサがあることなく、給電源を介して給電され、また、少なくとも第２の負荷回路は更に、コンデンサを介して／コンデンサによっても給電され、電力は、電流方向依存性を有する要素を介してコンデンサをアドレスすることによって／充電することによって、より進化した態様で印加される。
【０００８】
各負荷回路は、任意の種類かつ任意の組み合わせで、１つ以上の発光ダイオードを含む。第１の負荷回路の左側、第１及び第２の負荷回路間、及び第２の負荷回路の右側に、更なる負荷回路があってもよい。
【０００９】
発光デバイスの一実施形態は、コンデンサが、第３及び第４の端子を通る電流路を介して当該コンデンサが充電されることを阻止する電流方向依存性を有する更なる要素を介して、第２の負荷回路に並列に結合されることによって規定される。このようにすると、コンデンサは、電流方向依存性を有する要素を介してのみ充電され、第３及び第４の端子を通る電流路を介しては充電されない。しかし、コンデンサは、電流方向依存性を有する更なる要素を介して、第２の電力を供給することができる。
【００１０】
発光デバイスの一実施形態は、第１及び第２の接続部のうち少なくとも一方が、第２の電力の一部をコンデンサが第１の負荷回路に供給することを阻止する電流方向依存性を有する更なる要素を介して、対応する第１及び第３の端子並びに第２及び第４の端子を接続することによって規定される。このようにすると、コンデンサは、第２の負荷回路だけに第２の電力を供給でき、第２の電力はより正確に供給される。
【００１１】
発光デバイスの一実施形態は、給電源が、第１の電力だけでなくエネルギーも、直流電圧信号、パルス電圧信号又はそれらの組み合わせの形式で供給することによって規定される。このようにすると、給電源は、効率的な二重機能を有する。直流電圧信号、即ち、ＤＣ電圧信号は、コンデンサの充電を制御するために調節可能な振幅を有する。パルス電圧信号は、コンデンサの充電を制御するために調節可能な振幅及び／又は調節可能なデューティサイクルを有する。また、パルス電圧信号は、ＤＣ電圧信号等に追加されてもよい。
【００１２】
発光デバイスの一実施形態は、第１の負荷回路が、パルス電圧信号をフィルタリングする更なるコンデンサを含むことによって規定される。このようにすると、パルス電圧信号は、第１の負荷回路内でフィルタリングされる。更なるコンデンサは、例えばパルス電圧信号に反応して生じるピーク電流を減少させる、及び／又は、例えばパルス電圧信号に反応して生じる第１の負荷回路の不所望の動作（例えば第１の発光ダイオードの点灯又は点滅）を減少させる。第１の負荷回路が、第１の直列発光ダイオードのストリングを含む場合、当該更なるコンデンサは、当該ストリングに並列に接続される。
【００１３】
発光デバイスの一実施形態は、第１及び第２の端子が、給電源に結合され、第２の負荷回路が、第１及び第２の接続部を介して、給電源から第１の電力を受け取ることによって規定される。ここでは、第１の負荷回路は、第２の負荷回路よりも給電源により近接していると見なされる。
【００１４】
発光デバイスの一実施形態は、
‐少なくとも１つの第３の発光ダイオードを含む第３の負荷回路に接続される第５及び第６の端子を更に含み、第３の負荷回路は、更なる給電源から第３の電力を受け取ることによって規定される。
【００１５】
ここでは、発光デバイスは、更なる給電源から第３の電力を受け取る第３の負荷回路を更に含むと見なされ、当該更なる給電源は、第１及び第２の負荷回路に給電するために使用されるものと同じ給電源であっても、異なる給電源であってもよい。
【００１６】
発光デバイスの一実施形態は、
−少なくとも１つの第４の発光ダイオードを含む第４の負荷回路に接続される第７及び第８の端子と、
−第５及び第７の端子を相互に接続させる第３の接続部と、第６及び第８の端子を相互に接続させる第４の接続部とを更に含み、第３及び第４の接続部のうち少なくとも一方は、電力散逸接続部であり、第４の負荷回路は、第３及び第４の接続部を介して、更なる給電源から第４の電力を受け取ることによって規定される。
【００１７】
ここでは、発光デバイスは、更なる給電源から第４の電力を受け取る第４の負荷回路を更に含むものと見なされる。ここでも、通常は、第３及び第４の接続部のうち少なくとも一方は、電力散逸接続部である。
【００１８】
発光デバイスの一実施形態は、第３及び第７の端子が、１つ以上の更なる接続部を介して互いに接続され、第４及び第８の端子が、１つ以上の更なる接続部を介して互いに接続されることによって規定される。ここでも、通常は、１つ以上の更なる接続部のうちの少なくとも１つの更なる接続部は、電力散逸接続部である。結果として、給電源と更なる給電源とが同じ給電源である場合、第１、第２、第４及び第３の負荷回路は、各々、左から右にだけでなく、右から左にも給電され、コンデンサを介する追加の電力は、中心のどこかに導入される。給電源と更なる給電源とが異なる給電源である場合、第１、第２、第４及び第３の負荷回路は、各々、給電源を介して、左から右に給電され、更なる給電源を介して、右から左に給電され、コンデンサ及び電流方向依存性を有する要素を介する追加の電力は、中心のどこかに導入される。更なるコンデンサ及び電流方向依存性を有する更なる要素は、追加の電力をより多くの場所に導くために排除されるべきではない。
【００１９】
発光デバイスの一実施形態は、第１の負荷回路が、第１及び第２の接続部を介して、給電源から第１の電力を受け取ることによって規定される。ここでは、第２の負荷回路は、第１の負荷回路よりも給電源に近接していると見なされる。
【００２０】
発光デバイスの一実施形態は、第１及び第２の接続部が共に電力散逸接続部であり、第１の接続部が、ゼロより大きい抵抗を有する導体を含み、第２の接続部が抵抗器を含むことによって規定される。このようにすると、電力の損失を意図的に導入する抵抗器を介し、配電は抵抗器の値を選択することによって適応される。
【００２１】
発光デバイスの一実施形態は、第１及び第２の負荷回路各々が、対応する第１及び第２の発光ダイオードに直列接続される対応する第１及び第２の抵抗器を含むことによって規定される。このようにすると、配電は第１及び第２の抵抗器の値を選択することによって適応される。
【００２２】
発光デバイスの一実施形態は、第１及び第２の負荷回路が、異なる動作電圧を有することによって規定される。このようにすると、第１及び第２の負荷回路と、場合により電流方向依存性を有する要素と、場合により第３及び第４の負荷回路との適切な動作電圧を選択することによって、また、各抵抗器の固有値を選択することによって、さらに、ＤＣ電圧信号、パルス電圧信号又はそれらの組み合わせの１つ以上の固有値を選択することによって、均一な光強度分布をもたらす配電が実現される。ＤＣ電圧信号、パルス電圧信号又はそれらの組み合わせの１つ以上の値を適応させることによって、負荷毎のスイッチと、スイッチを制御する制御部とを必要とすることなく、光強度分布を変化させることが可能である。
【００２３】
発光デバイスの一実施形態は、電流方向依存性を有する要素が、ダイオード、ツェナーダイオード又はトランジスタを含むことによって規定される。ダイオード及びツェナーダイオードは、比較的低価格であるが、導通状態において幾らかの電圧降下を示す。これに伴う電力損失に加えて、この電圧降下は、発光デバイス内の電圧、したがって、電流の分布にも影響を及ぼす。これは、導通状態における電圧降下を減少させるＭＯＳＦＥＴといったトランジスタを使用することによって解決できる。このようなトランジスタは、理想的なダイオードの挙動に近似するために何らかの局所制御を必要とするが、別個の信号源及び発光デバイスから出る配線によって制御される必要はない。
【００２４】
第２の態様では、上記の発光デバイスを含み、かつ、給電源を更に含むシステムが提供される。給電源は、例えばＡＣ／ＤＣコンバータ若しくは別のコンバータ、又は、スイッチモード電源若しくは別の電源を含む。
【００２５】
負荷毎のスイッチと、これらスイッチを制御する制御部とが回避されるという洞察が出来た。基本的な考えは、主電力が給電源から直接負荷回路のグループに供給され、補助電力が給電源とは異なるコンデンサから負荷回路のグループ又は負荷回路の小さいグループに供給されるということである。
【００２６】
改良された発光デバイスを提供するという課題が達成される。単純な方法で照明の選択肢の数が増えたことが更なる利点である。
【００２７】
本発明のこれらの及び他の態様は、以下に説明される実施形態を参照することにより明らかとなろう。
【図面の簡単な説明】
【００２８】
【図１】図１は、デバイスを含むシステムの第１の実施形態を示す。
【図２】図２は、給電源信号と光出力とを示す。
【図３】図３は、デバイスを含むシステムの第２の実施形態を示す。
【図４】図４は、デバイスを含むシステムの第３の実施形態を示す。
【発明を実施するための形態】
【００２９】
図１に、発光デバイスを含むシステムの第１の実施形態が示される。システムは、第１の給電源３１、第２の給電源３２及びデバイスを含む。デバイスは、少なくとも１つの第１の発光ダイオードを含む第１の負荷回路２１に接続され、また、第１の給電源３１に接続される第１及び第２の端子１、２を含む。デバイスは更に、少なくとも１つの第２の発光ダイオードを含む第２の負荷回路２２に接続される第３及び第４の端子３、４を含む。デバイスは更に、第１及び第３の端子１、３を相互に接続する第１の接続部１１と、第２及び第４の端子２、４を相互に接続する第２の接続部１２とを含む。第１及び第２の接続部１１、１２のうち少なくとも一方は、電力散逸接続部である。第１の負荷回路２１は、第１の給電源３１から電力を受け取り、第２の負荷回路２２は、第１の給電源３１から、第１及び第２の接続部１１、１２を介して、電力を受け取る。デバイスは更に、第２の負荷回路２２に並列に結合され、第１の給電源３１から、電流方向依存性を有する要素４２を介して、受け取るエネルギーを蓄積し、第２の負荷回路２２に給電し、かつ、第１及び第２の接続部１１、１２を介して、第１の負荷回路２１に給電するコンデンサ４１を含む。電流方向依存性を有する要素４２は、ダイオード、ツェナーダイオード又はトランジスタ等である。
【００３０】
第１の給電源３１は、図２を考慮して更に説明されるように、第１及び第２の負荷回路２１、２２用の電力だけでなく、コンデンサ４１用のエネルギーも直流電圧信号、パルス電圧信号又はそれらの組み合わせの形式で供給する。
【００３１】
デバイスは更に、少なくとも１つの第３の発光ダイオードを含む第３の負荷回路２３に接続され、また、第２の給電源に接続される第５及び第６の端子５、６を含む。デバイスは更に、少なくとも１つの第４の発光ダイオードを含む第４の負荷回路２４に接続される第７及び第８の端子７、８を含む。デバイスは更に、第５及び第７の端子５、７を相互に接続する第３の接続部１３と、第６及び第８の端子６、８を相互に接続する第４の接続部１４とを含む。第３及び第４の接続部１３、１４のうち少なくとも一方は、電力散逸接続部である。第３の負荷回路２３は、第２の給電源３２から電力を受け取り、第４の負荷回路２４は、第２の給電源３２から、第３及び第４の接続部１３、１４を介して、電力を受け取る。
【００３２】
デバイスは更に、第３及び第７の端子３、７を相互に接続する１つ以上の更なる接続部１５と、第４及び第８の端子４、８を相互に接続する１つ以上の更なる接続部１６とを含む。この場合、第１の給電源３１は、各負荷回路２１、２２、２４、２３を、左から右に給電し、第２の給電源３２は、各負荷回路２３、２４、２２、２１を、右から左に給電する。接続部のうちの少なくとも幾つかが、電力散逸接続部であることによって、通常、給電源に最も近くにある負荷回路が、当該給電源から最も遠くにある負荷回路よりも、当該給電源から多くの電力を受け取る。
【００３３】
好適には、第１及び第２の接続部１１、１２は共に電力散逸接続部であり、第１の接続部１１は、ゼロよりも大きい抵抗を有する導体を含み、第２の接続部１２は、抵抗器を含む。同様に、第３及び第５の接続部１３、１５は、導体を含み、第４及び第６の接続部１４、１６は、抵抗器を含む。更に好適には、第１及び第２の負荷回路２１、２２は、各々、対応する第１及び第２の発光ダイオードに直列に接続される対応する第１及び第２の抵抗器を含む。同様に、第３及び第４の負荷回路２３、２４は、各々、対応する第３及び第４の発光ダイオードに直列に接続される対応する第３及び第４の抵抗器を含む。更に好適には、第１及び第２の負荷回路２１、２２は異なる動作電圧を有し、また、第３及び第４の負荷回路２３、２４は異なる動作電圧を有する。このようにすると、各負荷回路、場合によっては電流方向依存性を有する要素の適切な動作電圧を選択することによって、また、各抵抗器の固有値を選択することによって、さらに、直流電流、即ち、ＤＣ電圧信号、パルス電圧信号又はそれらの組み合わせの１つ以上の固有値を選択することによって、均一な光強度分布をもたらす配電が実現される。ＤＣ電圧信号、パルス電圧信号又はそれらの組み合わせの１つ以上の値を適応させることによって、負荷毎のスイッチと、スイッチを制御する制御部とを必要とすることなく、光強度分布を変化させることができる。第２の給電源３２は、第１の給電源３１と同様であっても、第１の給電源３１とは異なってもよい。第１の給電源３１が左から右へ、かつ、右から左へ給電するように、第２の給電源３２は省略されて、「開放状態（open）」によって又は第１の給電源３１への接続部によって置換されてもよい。
【００３４】
図２では、図３を考慮して、ケースＩ乃至ＶＩＩ（７個の行）に関して、給電源信号及び光出力が、第１の給電源３１について時間関数（左列）として、第２の給電源３２について時間関数（中央列）として、負荷回路２１、２２、２４、２３について位置関数（右列）として示される。限られた数の負荷回路２１、２２、２４、２３では、階段的で局所的な光出力が、発光デバイスの特定の位置において生じるが、右列には、滑らかなグラフとなっている、より多くの数の負荷回路での光出力が示される。
【００３５】
ケースＩ：第１及び第２の給電源３１、３２は共にＤＣ電圧信号を供給する。動作電圧及び抵抗器はすべて、各負荷回路２１、２２、２４、２３が同じ光強度を提供するように選択されている。
【００３６】
ケースＩＩ：第２の給電源３２はオフにされ、比較的高い抵抗値を有する「開放状態」となり、負荷回路２１、２２、２４、２３の光強度は、ケースＩと比べると、左から右により小さい値を示す。
【００３７】
ケースＩＩＩ：第１の給電源３１は、先のＤＣ電圧信号と同様の振幅を有するパルス電圧信号を生成する。その結果、コンデンサ４１は依然として含まれないままである。負荷回路２１、２２、２４、２３の光強度は、ケースＩＩと比べると、パルス電圧信号はデューティサイクルを有するということにより小さい値を各々示す。
【００３８】
ケースＩＶ：第１の給電源３１は、ケースＩと同様の振幅を有するＤＣ電圧信号を供給するが、第２の給電源３２は、比較的低い振幅（第３の負荷回路２３の動作電圧よりも小さい）で別のＤＣ信号を供給し、したがって、比較的低い抵抗値を有する「短絡状態（short）」になり、負荷回路２１、２２、２４、２３の光強度は、ケースＩに比べて、左から右に小さい値を示すが、この場合、最右の第３の負荷回路２３の光強度は、「短絡状態」と並列に接続されていることにより、ゼロとなる。
【００３９】
ケースＶ：第１の給電源３１は、ケースＩ乃至ＩＶに比べて大きい振幅を有するＤＣ電圧信号を供給する。その結果、コンデンサ４１が含まれることになるが、ケースＩＩＩに比べて低減されたデューティサイクルを有する。第２の給電源３２は、オフにされ、ケースＩＩと同様に、比較的高い抵抗を有する「開放状態」になる。結果として、最左の第１の負荷回路２１の光強度は、略同じになる（第１の発光ダイオードには大電流が流れるが、僅かな時間の間である）。中央にある第２及び第４の負荷回路２２、２４の光強度は、コンデンサ４１が機能し始めることによって増加する。コンデンサ４１は更に、最左の第１の及び最右の第３の負荷回路２１、２３にもある少量の電力を供給し、最右の第３の負荷回路２３の光強度は、他の３つの光強度よりも低いが、ケースＩＩＩにおけるその値よりも大きい。
【００４０】
ケースＶＩ：第２の給電源３２は、比較的低い振幅（第３の負荷回路２３の動作電圧よりも小さい）で別のＤＣ信号を供給し、したがって、比較的低い抵抗値を有する「短絡状態」になり、最右の第３の負荷回路２３の光強度は、ケースＶに比べて、「短絡状態」と並列に接続されていることにより、ゼロとなる。
【００４１】
ケースＶＩＩ：第１及び第２の給電源３１、３２は、ケースＶＩに比べて、それらの信号を交換し、その結果、各負荷回路２１、２２、２４、２３についてケースＶＩにおいてある光強度は、今度は、各負荷回路２３、２４、２２、２１の光強度となる。
【００４２】
したがって、ケースＩからケースＩＩでは、光強度は右側で減少され、ケースＩＩからケースＩＩＩでは、すべての光強度が減少され、ケースＩＩＩからケースＩＶでは、左側の光強度は増加され、右側の強度はゼロとなり、ケースＩＶからケースＶでは、中心における光強度は増加され、左側の強度よりも大きくなり、右側の強度は増加され、ケースＶからケースＶＩでは、右側の光強度はゼロとなり、ケースＶＩからケースＶＩＩでは、左側の光強度はゼロとなり、右側の強度は増加されるが、中心における強度よりも小さいままである。
【００４３】
明らかに、光は、領域全体を「移動」できる一方で、領域の外側の隅にある最端の端子のみを使用する。当然ながら、例えば、複数のコンデンサが様々なセグメントに接続され、様々な閾値電圧を有するダイオードを介して分離されることによって、様々な他の光効果も可能である。
【００４４】
図３に、コンデンサ４１と電流方向依存性を有する要素４２との間の相互接続部が、第３の端子３に直接結合していないが、電流方向依存性を有する更なる要素４３を介して当該第３の端子３に間接的に結合される点でのみ、第１の実施形態と異なる、デバイスを含むシステムの第２の実施形態が示される。この電流方向依存性を有する更なる要素４３は、第１の給電源３１から来るが、電流方向依存性を有する要素４２は通過しないＤＣ電圧信号又はパルス電圧信号によって、第３及び第４の端子３、４を通る電流路を介してコンデンサ４１が充電されることを阻止する。
【００４５】
図４に、第１の接続部１１は、コンデンサ４１が第１の負荷回路２１に電力の一部を供給することを阻止する電流方向依存性を有する更なる要素４４を介して第１及び第３の端子を接続し、第３の接続部１３は、コンデンサ４１が第３の負荷回路２３に電力の一部を供給することを阻止する電流方向依存性を有する更に別の要素４５を介して第５及び第７の端子を接続する点でのみ、第１の実施形態とは異なる、デバイスを含むシステムの第３の実施形態が示される。或いは、電流方向依存性を有する更なる要素４４は、第２の接続部１２に追加されてもよく、また、電流方向依存性を有する更に別の要素４５は、第４の接続部１４に追加されてもよい。
【００４６】
第１（第２等）の負荷回路２１（２２等）は、少なくとも１つの第１（第２等）の発光ダイオードを含む。第１（第２等）の負荷回路が、２つ以上の発光ダイオードを含み、当該発光ダイオードは、任意の直列及び／又は並列接続で相互に接続される。好適には、直列接続された発光ダイオードのストリングが、負荷回路毎に使用され、上記の抵抗器に直列接続される。場合により、コンデンサが更に存在してもよく、例えば当該ストリングに並列に結合されて、パルス電圧信号のパルスを除去して、パルスに反応することによるピーク電流を回避する及び／又はストリングの不所望な動作を回避する。
【００４７】
図１、図３及び図４では、第１の負荷回路２１は、第１の給電源３１に最も近くに置かれ、（並列に結合されたコンデンサ４１を有する）第２の負荷回路２２は、第１の給電源３１から離れて置かれている。しかし、ここには図示されないが、（並列に結合されたコンデンサ４１を有する）第２の負荷回路２２が、第１の負荷回路２１よりも第１の給電源３１の近くに置かれることも排除されるべきではない。これは、当然ながら、第２の負荷回路２２から第１の負荷回路２１にコンデンサ４１を移すことに対応する。しかし、この場合、電流方向依存性を有する要素４２及び電圧信号の振幅レベル等に対して、更なる手段を取る必要がある。
【００４８】
図１、図３及び図４では、４つの負荷回路２１、２２、２４、２３が示されているが、当然ながら、より多くの負荷回路も可能である。例えば１０乃至１２個の負荷回路が使用されてもよく、左右における負荷回路は、各々、８乃至１０個の発光ダイオードを有するストリングを有し、また、中心における負荷回路は、各々、６乃至８個の発光ダイオードを有するストリングを有して、小さい動作電圧を実現する。奇数接続部の抵抗値は、１オームよりも小さく、偶数接続部の抵抗値は、１と１００オームとの間であり、負荷回路内の抵抗器の抵抗値は、５０オームよりも大きい。各負荷回路において、又は、負荷回路毎に、様々な色、様々な強度、様々なサイズ等といった様々な種類の発光ダイオードが使用されてもよい。
【００４９】
実施形態は、直流電流、即ち、ＤＣ電圧について説明されたが、本発明は、交流電流、即ち、ＡＣ環境においても使用される。その場合、整流器及び／又は逆並列発光ダイオード等の導入といった更なる手段を取る必要がある。
【００５０】
要約すると、デバイスは、第１の発光ダイオードを含む第１の負荷回路２１に接続される第１及び第２の端子１、２と、第２の発光ダイオードを含む第２の負荷回路２２に接続される第３及び第４の端子３、４と、第１及び第３の端子１、３を相互に接続する第１の接続部１１と、第１及び第４の端子２、４を相互に接続する第２の接続部１２と、第２の負荷回路２２と並列に結合され、電流方向依存性を有する要素４２を介して受け取るエネルギーを蓄積し、少なくとも第２の負荷回路２２に第２の電力を供給するコンデンサ４１とを含み、第１及び第２の接続部１１、１２のうち少なくとも一方は電力散逸接続部であり、第１及び第２の負荷回路２１、２２のうち少なくとも一方は、第１及び第２の接続部１１、１２を介して、給電源３１から第１の電力を受け取る。
【００５１】
本発明は、図面及び上記の記載において詳しく例示かつ説明されたが、当該例示及び説明は、例示であって限定と解釈されるべきではない。本発明は、開示された実施形態に限定されない。開示された実施形態に対する他の変更は、図面、開示内容及び添付の請求項の検討から、クレームされる発明を実施する際に、当業者によって理解かつ実現されよう。請求項において、「含む」との用語は、他の要素又はステップを排除するものではなく、また、「ａ」又は「ａｎ」との不定冠詞も、複数形を排除するものではない。特定の手段が相互に異なる従属請求項に記載されるからといって、これらの手段の組み合わせを有利に使用することができないことを示すものではない。請求項における任意の参照符号は、範囲を限定しているものと解釈されるべきではない。
【図１】
2015506104.tif 000003
【図２】
2015506104.tif 000004
【図３】
2015506104.tif 000005
【図４】
2015506104.tif 000006
【国際調査報告】
2015506104.tif 000007
2015506104.tif 000008